(57)【要約】      （修正有）【課題】電自動回転輪投げ台は、スイツチを入れると平担面上と止め輪内を制御センサー及び音声センサーによつてメロディーを奏でながら、複雑に走行回転する。この回転輪投げ台に、子供達が輪投げをして遊ぶ事を目的に形成した電自動回転輪投げ台を提供する。【解決手段】電自動回転輪投げ台１を止め輪２の中側に置き速度変向と音声電源スイツチ４を入れると、平担な床面上を走行する。そして止め輪２に接触すると制御センサーによつて方向転回し、不規則に走行する。又音声センサーによって音楽や童謡も奏で出る。そして投げ輪３を手に持ち、回転輪投げ台に投げ入れ、児童達が楽しく遊ぶ事が出来る。電自動回転輪投げ台１と止め輪２及び投げ輪３は一体の電自動回転輪投げ台玩具である。【選択図】      図８
2004358197.tif 000002
【特許請求の範囲】
【請求項１】
本電自動回転輪投げ台玩具は．電源．モーター．スピーカー．その他色いろの部品を使用し．又速度の調整をする為の．電源スイツチも０１２３と速度の変向が出来る様に形成しで置き．そしてスイツチを入れると．平坦床面上を．制御センサーと音声センサーの組合わせによつて．右往左往と不規則に走行回転し．尚同時に音楽又は童謡も奏で出る．そして児童達ちが投げ遊びを楽しむ事が出来る．此の様に構成した事を特徴とした．電自動回転輪投げ台玩具
【請求項２】
本電自動回転輪投げ台玩具の．不規則な回転の動きを．一定の範囲内から飛び出さ無い様にする為の．直径約９０センチ太さの寸法直径約１．０センチの円形の（請求項２）の．止め輪を形成して置き．そして手に持つた投げ輪を．電自動回転輪投げ台中心部分の．立て棒に投げ入れ．ゲームを楽しむ事が出来る様に．構成した事を特徴とした（請求項２）の止め輪と．（請求項１）の電自動回転輪投げ台玩具．
【発明の詳細な説明】
【０００１】
（発明の属する技術分野）本電自動回転輪投げ台の．電源スイツチの０の位置は停止で．従来の輪投げ台と同じである．又１２３は速度を順次に上げる為のスイツチで．尚このスイツチを入れると制御センサーと音声センサー．が同時に入り．走行回転と童謡が奏で出る．又止め輪によつて．一定の範囲内から飛び出さず．楽しく輪投げ遊びが出きる．電自動回転輪投げ台玩具に関する．
【０００２】
（従来の技術）従来の輪投げ台としては．センサー付き又はその他多種あるが．従来の輪投げ台は一定の  位置に置いておき．輪投げ遊びをするだけの輪投げ台の為．児童達があまり．長時間遊ば無い輪投げ台の様である．又本電自動回転輪投げ台の様に．複雑に走行回転する．輪投げ台は．見当ら無い様である．尚本発明の止め輪は特に見当らない．
【０００３】
（発明が解決しようとする課題）そこで児童達が楽しく停止と．走行回転の強弱と．又歌も楽しめ  尚幾通もの輪投げ遊びをする事が出きる．そして制御センサー  と音声センサーによつて．童謡も勉強でき．その上身体の運動にも成る  此の電自動回転輪投げ台玩具を提供する．
【０００４】
（課題を解決する為の手段）上記目的を達成する為．請求項１の電自動回転輪投げ台には．制御センサーを設け走行回転と．走行速度を変える為の．スイツチ０１２３も設けて置き．尚音声センサーも取り付けて置き．童謡も同時に流れ出る様に．形成して置く．そして電自動回転輪投げ台が走行した場合は．一定の範囲内から飛び出ない様にする為．請求項２の止め輪．直径約９０センチ太さの直程約１．０センチの円形の軸を形成して置く．尚投げ輪も直径約１０センチ太さの直径約１．０センチの円形に形成して置く．そして不規則に走行回転する輪投げ台に．投げ輪を投げ入れ遊ぶ事が出来る．此の事を特徴とする．
【０００５】
（発明の実施の形態）以下本発明の実施の形態例を説明する．本電自動回転輪投げ台１で．輪投げをする場合には．まず止め輪２の円形の輪の中に．本電自動回転輪投げ台１を置き．そして電源スイツチ４を入れると  基台５の内側に内臓されている  制御センサー６と．音声センサー７  そしてスピーカ８によつて  不規則に走行回転し．又音楽や童謡も奏でる事が出きる．尚前輪９Ａと９Ｂが動き走行して．止め輪２の周囲端部分に接触すると．制御センサー６によつて．止め輪２から飛び出ず．自動的に  方向転回しながら．複雑に走行する事が出来る．又後輪１０Ａと１０Ｂは前輪９Ａと９Ｂの補助後輪である．又電源電池の収納箱１１は．単３形乾電池１２を収納する箱である  尚底面基台蓋１３の内側には．色いろの部品と様様な機能を内臓し．取り付け収納して置き．そして留ネジ１４で底面基台蓋１３の．３箇所を留て置く．又立て棒１５は投げ輪３を投げ入れる為の．立て棒である．尚此の立て棒の先端部分には馬の顔１６を  形成して置く．又立て棒の先端には．馬の顔に限らず．様様な動物の顔を形成してもよい．
【０００６】
（実施例）又電源スイツチ４の０は停止で．おもに幼児用で１からは児童用とし．又１の走行速度は１分の６０分の１とし．２の速度は倍加とし．尚３の速度は又  その倍加として形成して置く．そして輪投げが上達するに付け．２．３と速度を上げ．輪投げ遊びをする事が出来る．又本（請求項１）の電自勤回転輪投げ台１の玩具と．本（請求項２）の止め輪２と．投げ輪３  は使用する場合には一体の玩具である．又（請求項２）の止め輪２は本電自動回転輪投げ台１にだけ使用するのでは無く．例えばセンサー付き自動車その他色いろのセンサー付き走行玩具にも．使用する事が出来る次に本電自動回転輪投げ台１の．材質はポリプロピレンで．尚止め輪２と投げ輪３は．軟質塩化ビニール樹脂で．形成されているが此の材質に限らず．他の材質でも本電自動回転輪投げ台１と．止め輪２．投げ輪３を形成する事も出きる．尚寸法も大中小と形成する事も出きる。又内臓されている，制御装置及び．音声発生装置は．公知に付き図示せずとする．
【０００７】
（図１）          正面図
以下発明の実施の形態を図示例と共に説明する，
図１は本発明の電自動回転輪投げ台の．正面図で図に置いて１は．電自動回転輪投げ台で．使用する場合は  速度の違う４のスイツチを入れると．不規則に走行回転する．４は電源スイツチで．速度の変更が出きる様に．０１２３と形成して置き．そしてスイツチを数字に合はせて入れると．強弱の走行と回転をする．又同時に童謡も奏で出る．５は基台で円形の寸法は．直径約１８．０センチ．高さの寸法は約５．０センチで中側には．色いろの部品と．センサーを内臓し形成して置く．又９Ａ９Ｂの前輪は．６の制御センサーによって方向転回し．不規則に走行回転する  １５は立て棒で高さの寸法は約２０．０センチ太さの直径寸法約２．５センチで．先端には符号１６の馬の顔を形成して置く．
【０００８】
（図２）          背面図
図２は背面図で図に置いて．１は電自動回転輪投げ台で．４のスイッチを入れると走行回転する．此の復雑に動く１の輪投げ台に．小供達が投げ輪を投げ入れ．楽しく遊ぶ事が出来る。又１０Ａ１０Ｂは後輪で．前輪の補助後輪である．
【０００９】
（図３）          平面図
図３は平面図で．１は電自動回転輪投げ台である．４は速度変向電源スイツチで．０１２３と速度を変える為の．印字をして置く５は基台で投げ輪が当たっても倒れ無い．寸法に形成して置く．１６は馬の顔で．立て棒の先端に形成して置く．又馬の顔に限らず他の動物又はその他の．顔を形成してもよい．
【００１０】
（図４）        底面図
図４は底面図で．６は制御センサーで．スイツチを入れると．不規則に走行回転する．又同時に７の音声センサーと，８のスピーカーによつて音楽や童謡も．聞く事が出来る．尚９Ａ９Ｂは前輪で走行して．２の止め輪に当たると．制御センサーによつて方向転回し復雑に走行する．１０Ａ１０Ｂは補助後輪である．１１は電池収納箱で．又１２は単３形乾電池で．１１の電池収納箱にセツトして置く．１３は底面基台蓋で様様な部分品を取り付けた後と１４の留ネジによつて  １３の底面基台蓋を留て置く．
【００１１】
（図５）          右側面図
図５は右側面図で．１は電自動回転輪投げ台の右側面である．又４は速度変向及び．制御センサーと音声センサーの電源スイツチである．９Ｂは前輪の片方右側面の車輪で．又１０Ｂは補助後輪の．右側面片方の車輪である．又１６は馬の顔の右側面部分である．
【００１２】
（図６）          左側面図
図６は左側面図で．９Ａは前輪の左側面片方の車輪である．又１０Ａは補助後輪の左側面片方の車輪で．１５は立て棒である．
【００１３】
（図７）電自動回転輪投げ台玩具の斜視図
図７の１は電自動回転輪投げ台玩具で．２は止め輪で．寸法は直径約９０センチ太さの直径約１、０センチに形成し．又材質は軟質塩化ビニール樹脂又は．その他の材質で．形成して置く．尚使用する場合は．４の電源スイツチを１の数字．から順次２３の数字に入れて行くと．速度の違うスピードで  ９Ａ９Ｂの前輪が走行して．２の止め輪に当たると．制御センサーによつて方向転回し．復雑に走行する．  そして輪投げ遊びをする事が出来る．又符号２は請求項２の止め輪である．
【００１４】
（図８）  本発明の電自動回転輪投げ台玩具１と止め輪
２及び投げ輪３を一体とした使用状態を示す参考斜視図
図８の１は電自動回転輪投げ台で．使用する場合には．まず２の止め輪を床に置き．そして中心部分に．１の電自動回転輪投げ台玩具を置き．次に４の電源スイツチを入れると走行し．２の止め輪に接触すると．６の制御センサーによつて方向転回し．不規則に走行する．そこで３の投げ輪を手に持ち．尚復雑な動きをする立て棒に．投げ入れ輪投げ遊びを楽しむ事が出来る．又１６には馬の顔を形成して置く．この様に符号１の電自動回転輪投げ台と．符号２の止め輪及び．符号３の投げ輪を一体として構成した．この事を特徴とした．符号１  の電自動回転輪投げ台玩具である．
【００１５】
（発明の効果）本発明の電自動回転輪投げ台を．使用する場合には止め輪の中心に置きスイツチを入れると．前進走行する．そして止め輪に接触すると．制御センサーによつて  止め輪から飛び出さず方向転回し．不規則に走行回転する．又走行と同時に音声センサーが働き童謡も奏で出る．尚此の止め輪との組み合はせによつて従来に．無い面白さで．子供達が輪投げ．遊びをする事が出来る
【図面の簡単な説明】
【図１】本発明の正面図
【図２】同背面図
【図３】同平面図
【図４】同底面図
【図５】同右側面図
【図６】同左側面図
【図７】同電自動回転輪投げ台玩具の斜視図
【図８】同電目動回転輪投げ台玩具１と止め輪２及び投げ輪３を一体とした使用状態を示す参考斜視図
【符号の説明】
１電自動回転輪投げ台玩具
２止め輪
３投げ輪
４速度変向と音声の電源スイツチ
５基台
６制御センサー
７音声センサー
８スピカー
９Ａ左前輪
９Ｂ右前輪
１０Ａ左補助後輪
１０Ｂ右補助後輪
１１電池収納箱
１２単３形乾電池
１３底面基台蓋
１４留めネジ３箇所
１５立て棒
１６馬の顔
【図１】
2004358197.tif 000003
【図２】
2004358197.tif 000004
【図３】
2004358197.tif 000005
【図４】
2004358197.tif 000006
【図５】
2004358197.tif 000007
【図６】
2004358197.tif 000008
【図７】
2004358197.tif 000009
【図８】
2004358197.tif 000010